(57)【特許請求の範囲】
【請求項１】
複数の印刷処理と該印刷処理の実行順番を対応付ける処理実行リストがフォルダ内に存在するか否かを監視するフォルダ監視部と、
前記フォルダ監視部の監視により前記フォルダ内に存在すると確認された前記処理実行リストを取得し解析するリスト解析部と、
前記リスト解析部による前記処理実行リストの解析結果に基づいて、前記実行順番に従った前記印刷処理のバッチ実行を少なくとも１つの印刷手段に指示する印刷制御部と
を備え、
前記リスト解析部は、前記処理実行リストに含まれるジョブ区分情報を検出し、前記ジョブ区分情報により区分された１つ又は連続する２つ以上の前記印刷処理を１つの印刷ジョブとして認識し、
前記印刷制御部は、前記印刷処理のバッチ実行を、認識された前記印刷ジョブの単位で指示する
ことを特徴とする印刷制御装置。
【請求項２】
ユーザによる操作に応じて、前記処理実行リストを編集可能に、且つ、前記処理実行リストを前記フォルダ内に投入可能に構成されるユーザインターフェースを更に備えることを特徴とする請求項１に記載の印刷制御装置。
【請求項３】
前記リスト解析部は、前記処理実行リストに含まれる前記印刷手段の識別情報を取得し、
前記印刷制御部は、前記印刷処理のバッチ実行を、前記印刷処理に応じた前記識別情報にて特定される前記印刷手段に振り分けて指示する
ことを特徴とする請求項１又は２に記載の印刷制御装置。
【請求項４】
前記印刷制御部は、互いに独立に制御可能な２つの前記印刷手段を有する印刷装置に対して、連続する２つの前記印刷処理を各前記印刷手段に振り分けて同時に指示することを特徴とする請求項３に記載の印刷制御装置。
【請求項５】
一方の前記印刷手段は、有彩色及び無彩色の少なくとも一方の前記印刷処理を実行可能であり、
他方の前記印刷手段は、下地色及び透明色の少なくとも一方の前記印刷処理を実行可能である
ことを特徴とする請求項４に記載の印刷制御装置。
【請求項６】
前記印刷処理の対象である被印刷体と一体搬送される搬送治具に設けられたコードマークを読み取ることで、前記搬送治具の種別情報を入力する情報入力部と、
前記情報入力部により入力された前記種別情報が、前記処理実行リストに含まれる前記種別情報に一致するか否かを判定する一致性判定部と
を更に備え、
前記印刷制御部は、前記一致性判定部により一致しないと判定された前記印刷処理の実行を中止する
ことを特徴とする請求項１〜５のいずれか１項に記載の印刷制御装置。
【請求項７】
前記印刷処理毎の実行結果を示す印刷履歴リストを作成するリスト作成部を更に備えることを特徴とする請求項１〜６のいずれか１項に記載の印刷制御装置。
【請求項８】
複数の印刷処理と該印刷処理の実行順番を対応付ける処理実行リストがフォルダ内に存在するか否かを監視する監視ステップと、
前記監視ステップでの監視により前記フォルダ内に存在すると確認された前記処理実行リストを取得し解析する解析ステップと、
前記解析ステップでの前記処理実行リストの解析結果に基づいて、前記実行順番に従った前記印刷処理のバッチ実行を少なくとも１つの印刷手段に指示する制御ステップと
をコンピュータに実行させ、
前記解析ステップにおいて、前記処理実行リストに含まれるジョブ区分情報を検出し、前記ジョブ区分情報により区分された１つ又は連続する２つ以上の前記印刷処理を１つの印刷ジョブとして認識し、
前記制御ステップにおいて、前記印刷処理のバッチ実行を、認識された前記印刷ジョブの単位で指示する
ことを特徴とする印刷制御方法。
【請求項９】
複数の印刷処理と該印刷処理の実行順番を対応付ける処理実行リストがフォルダ内に存在するか否かを監視する監視ステップと、
前記監視ステップでの監視により前記フォルダ内に存在すると確認された前記処理実行リストを取得し解析する解析ステップと、
前記解析ステップでの前記処理実行リストの解析結果に基づいて、前記実行順番に従った前記印刷処理のバッチ実行を少なくとも１つの印刷手段に指示する制御ステップと
をコンピュータに実行させ、
前記解析ステップにおいて、前記処理実行リストに含まれるジョブ区分情報を検出し、前記ジョブ区分情報により区分された１つ又は連続する２つ以上の前記印刷処理を１つの印刷ジョブとして認識し、
前記制御ステップにおいて、前記印刷処理のバッチ実行を、認識された前記印刷ジョブの単位で指示する
ことを特徴とする印刷制御プログラム。
【請求項１０】
請求項１〜７のいずれか１項に記載の印刷制御装置と、
前記印刷制御装置からの指示に応じて被印刷体に対して印刷処理を実行する少なくとも１つの印刷手段と
を備えることを特徴とする印刷システム。
【発明の詳細な説明】
【技術分野】
【０００１】
本発明は、印刷処理の実行を少なくとも１つの印刷手段に指示する印刷制御装置、方法及びプログラム、並びに、当該印刷制御装置を含んで構成される印刷システムに関する。
【背景技術】
【０００２】
従来から、商業印刷分野において、複数の印刷ジョブを効率的に実行するための技術が開発されている。例えば、データファイルの投入をトリガとして印刷処理を自動的に開始させる、いわゆる「ホットフォルダ」に関する技術が種々提案されている。
【０００３】
特許文献１では、電子データがホットフォルダに投入された際、この電子データを直接送信し、或いは、編集可能な形式に変換する装置が提案されている。
【先行技術文献】
【特許文献】
【０００４】
【特許文献１】特開２０１１−９５９４３号公報（要約）
【発明の概要】
【発明が解決しようとする課題】
【０００５】
ところで、成果物の種類や発注依頼者の事情等によって、成果物の受注時から納期までの時間幅が種々異なっている。そこで、作業者は、生産効率を向上するため、納期が近い複数の印刷処理、或いは、成果物の形態が類似する複数の印刷処理を纏めて実行する場合がある。
【０００６】
しかし、特許文献１で提案される装置では、原則的には、ホットフォルダに投入された順に印刷ジョブを逐次実行するため、上記した意図を適切に反映させることが困難であった。
【０００７】
本発明は、上述した課題に鑑みてなされたものであり、成果物の生産計画に関する意図を適切に反映させつつ、複数の印刷処理を纏めて実行可能な印刷制御装置、方法及びプログラム、並びに印刷システムを提供することを目的とする。
【課題を解決するための手段】
【０００８】
本発明に係る印刷制御装置は、複数の印刷処理と該印刷処理の実行順番を対応付ける処理実行リストがフォルダ内に存在するか否かを監視するフォルダ監視部と、前記フォルダ監視部の監視により前記フォルダ内に存在すると確認された前記処理実行リストを取得し解析するリスト解析部と、前記リスト解析部による前記処理実行リストの解析結果に基づいて、前記実行順番に従った前記印刷処理のバッチ実行を少なくとも１つの印刷手段に指示する印刷制御部を備える。
【０００９】
このように、フォルダ内に存在する処理実行リストの解析結果に基づいて、実行順番に従った印刷処理のバッチ実行を少なくとも１つの印刷手段に指示するので、フォルダに投入するだけで処理実行リストの指示内容に沿った印刷処理を順次実行可能となる。これにより、成果物の生産計画に関する意図を適切に反映させつつ、複数の印刷処理を纏めて実行できる。
【００１０】
また、ユーザによる操作に応じて、前記処理実行リストを編集可能に、且つ、前記処理実行リストを前記フォルダ内に投入可能に構成されるユーザインターフェースを更に備えることが好ましい。これにより、処理実行リストの編集を通じてユーザの意図をより適切に反映させることができる。
【００１１】
また、前記リスト解析部は、前記処理実行リストに含まれるジョブ区分情報を検出し、前記ジョブ区分情報により区分された１つ又は連続する２つ以上の前記印刷処理を印刷ジョブとして認識し、前記印刷制御部は、前記印刷処理のバッチ実行を、認識された前記印刷ジョブの単位で指示することが好ましい。これにより、印刷ジョブの処理単位を明確に定義可能であると共に、この定義に従って印刷ジョブを確実に実行できる。
【００１２】
また、前記リスト解析部は、前記処理実行リストに含まれる前記印刷手段の識別情報を取得し、前記印刷制御部は、前記印刷処理のバッチ実行を、前記印刷処理に応じた前記識別情報にて特定される前記印刷手段に振り分けて指示することが好ましい。これにより、印刷処理の分散化を図ることが可能となり、生産速度が向上する。
【００１３】
また、前記印刷制御部は、互いに独立に制御可能な２つの前記印刷手段を有する印刷装置に対して、連続する２つの前記印刷処理を各前記印刷手段に振り分けて同時に指示することが好ましい。これにより、一連の印刷処理を一回的に実行できる。
【００１４】
また、一方の前記印刷手段は、有彩色及び無彩色の少なくとも一方の前記印刷処理を実行可能であり、他方の前記印刷手段は、下地色及び透明色の少なくとも一方の前記印刷処理を実行可能であることが好ましい。これにより、一連の印刷処理を通じて、下地処理又は表面処理が施された成果物を得ることができる。
【００１５】
また、前記印刷処理の対象である被印刷体と一体搬送される搬送治具に設けられたコードマークを読み取ることで、前記搬送治具の種別情報を入力する情報入力部と、前記情報入力部により入力された前記種別情報が、前記処理実行リストに含まれる前記種別情報に一致するか否かを判定する一致性判定部を更に備え、前記印刷制御部は、前記一致性判定部により一致しないと判定された前記印刷処理の実行を中止することが好ましい。印刷処理の実行を中止することで、ユーザの準備作業に起因する生産ロスを回避できる。
【００１６】
また、前記印刷処理毎の実行結果を示す印刷履歴リストを作成するリスト作成部を更に備えることが好ましい。ユーザは、作成された印刷履歴リストを閲覧することで、印刷処理毎の実行結果を容易に把握できる。
【００１７】
本発明に係る印刷制御方法は、複数の印刷処理と該印刷処理の実行順番を対応付ける処理実行リストがフォルダ内に存在するか否かを監視する監視ステップと、前記監視ステップでの監視により前記フォルダ内に存在すると確認された前記処理実行リストを取得し解析する解析ステップと、前記解析ステップでの前記処理実行リストの解析結果に基づいて、前記実行順番に従った前記印刷処理のバッチ実行を少なくとも１つの印刷手段に指示する制御ステップをコンピュータに実行させる。
【００１８】
本発明に係る印刷制御プログラムは、複数の印刷処理と該印刷処理の実行順番を対応付ける処理実行リストがフォルダ内に存在するか否かを監視する監視ステップと、前記監視ステップでの監視により前記フォルダ内に存在すると確認された前記処理実行リストを取得し解析する解析ステップと、前記解析ステップでの前記処理実行リストの解析結果に基づいて、前記実行順番に従った前記印刷処理のバッチ実行を少なくとも１つの印刷手段に指示する制御ステップをコンピュータに実行させる。
【００１９】
本発明に係る印刷システムは、上記したいずれかの印刷制御装置と、前記印刷制御装置からの指示に応じて被印刷体に対して印刷処理を実行する少なくとも１つの印刷手段を備える。
【発明の効果】
【００２０】
本発明に係る印刷制御装置、方法及びプログラム、並びに印刷システムによれば、成果物の生産計画に関する意図を適切に反映させつつ、複数の印刷処理を纏めて実行できる。
【図面の簡単な説明】
【００２１】
【図１】この実施形態に係る印刷システムの全体構成図である。
【図２】図１に示すワークの分解斜視図である。
【図３】図１に示す印刷制御装置の電気的なブロック図である。
【図４】バッチ実行のための準備作業のフローチャートである。
【図５】図３の処理実行リストにおけるデータ構造の一例を示す模式図である。
【図６】図１に示す印刷システムの動作説明に供されるフローチャートである。
【図７】図５の処理実行リストを解析した結果を示す模式図である。
【発明を実施するための形態】
【００２２】
以下、本発明に係る印刷制御装置について、印刷制御方法及び印刷システムとの関係において好適な実施形態を挙げ、添付の図面を参照しながら説明する。
【００２３】
［印刷システム１０の全体構成］
図１は、この実施形態に係る印刷システム１０の全体構成図である。印刷システム１０は、所望の印刷処理を実行可能な印刷装置１２と、印刷装置１２を対象とする印刷制御を行う印刷制御装置１４とから主に構成される。
【００２４】
印刷装置１２は、例えばインクジェット記録方式を用いて、ワーク１６に印刷処理を施すインクジェット記録装置である。印刷装置１２は、搬送テーブル１８（搬送手段）によりワーク１６を順方向Ｆ又は逆方向Ｂに搬送させながら、紫外線を含む活性光線の照射によって硬化するインクの液滴を吐出する。そして、印刷装置１２は、液滴が付着されたワーク１６に向けて活性光線を照射することで、ワーク１６の表面上に任意のカラー画像（又はモノクロ画像）を形成する。
【００２５】
印刷装置１２は、搬送テーブル１８の上流側から下流側の順に、印刷処理前のワーク１６を供給する供給ユニット２０、互いに独立して印刷処理を実行可能な２つの印刷ユニット２２、２４、及び、印刷処理後のワーク１６を回収する回収ユニット２６を含んで構成される。
【００２６】
供給ユニット２０は、１つ以上のワーク１６を収容するマガジン２８を装填可能であると共に、マガジン２８に収容されたワーク１６を取り出して搬送テーブル１８側に順次供給する装置である。なお、マガジン２８には、印刷処理前のワーク１６（図２の被印刷体３８）が収容される点に留意する。
【００２７】
印刷ユニット２２、２４はそれぞれ、インクを貯留するカートリッジ３０と、インクの液滴を吐出する記録ヘッド３１と、液滴を硬化させる活性光線を照射する硬化光源３２とを備える。インクの色の構成は、Ｃ（シアン）、Ｍ（マゼンタ）、Ｙ（イエロー）、Ｋ（ブラック）のプロセスカラーのみならず、ＬＣ（ライトシアン）、ＬＭ（ライトマゼンタ）、Ｇｙ（グレー）、Ｗ（ホワイト）、ＣＬ（クリア）のうちの少なくとも１色を組み合わせてもよい。或いは、Ｏ（オレンジ）、バイオレット、ゴールド、シルバーを含むスポットカラー（特色）を適宜組み合わせてもよい。
【００２８】
回収ユニット２６は、空のマガジン２８を装填可能であると共に、搬送テーブル１８側からワーク１６を順次回収してマガジン２８に収容する装置である。なお、マガジン２８には、印刷処理後のワーク１６（図１の成果物３４）が収容される点に留意する。
【００２９】
このように、ワーク１６に対して所望の印刷処理を実行することで、色の装飾処理がなされた成果物３４が得られる。この成果物３４は、例えば、スマートフォンケース、又は磁気カード若しくはＩＣ（Integrated Circuit）カードである。
【００３０】
図２は、図１に示すワーク１６の分解斜視図である。ワーク１６は、平板状の治具パレット３６と、治具パレット３６の上に略等間隔に載置された複数の被印刷体３８とからなる。成果物３４がスマートフォンケースである場合、被印刷体３８は、ポリカーボネートを含む樹脂、シリコン、熱可塑性ポリウレタン等からなる成形品である。
【００３１】
治具パレット３６は、印刷処理の対象である被印刷体３８と一体搬送される搬送治具である。治具パレット３６は、金属からなる平板状のパレット本体４０と、パレット本体４０の主面全体に固定されたシート状治具４２とを有する。
【００３２】
シート状治具４２には、すべて同一の形状である複数の凹部４４（本図例では１６個）が形成されている。この凹部４４は、被印刷体３８を載置する際の位置決め用の段差部として機能する。つまり、それぞれの被印刷体３８を凹部４４に合わせて載置することで、被印刷体３８の適切な位置に印刷処理を施すことができる。
【００３３】
ところで、治具パレット３６の周縁部には、バーコード４６を描画したシール４８が貼付されている。このバーコード４６は、治具パレット３６或いはシート状治具４２の種別情報（例えば「ＪＩＧ００１」）を示すコードマークである。
【００３４】
［印刷制御装置１４の電気的なブロック図］
図３は、図１に示す印刷制御装置１４の電気的なブロック図である。印刷制御装置１４は、制御部５０と、通信Ｉ／Ｆ５２と、ＵＩ部５４（ユーザインターフェース）と、印刷Ｉ／Ｆ５６、５８と、入力Ｉ／Ｆ６０と、記憶部６２を備えるコンピュータである。
【００３５】
通信Ｉ／Ｆ５２は、外部装置に対して電気信号を送受信するインターフェースである。これにより、印刷制御装置１４は、通信Ｉ／Ｆ５２を介して、成果物３４の生産に供される指示情報を含む電子的な作業指示書（以下、電子指示書７２）を取得可能である。
【００３６】
ＵＩ部５４は、入力デバイスによる入力機能及び出力デバイスによる出力機能を組み合わせることで、グラフィカル・ユーザ・インターフェース（ＧＵＩ）を構築する。入力デバイスは、マウス、キーボード、タッチパネル又はマイクロフォンを含んで構成される。出力デバイスは、ディスプレイ又はスピーカを含んで構成される。本図例では、ＵＩ部５４を介して、特定のフォルダ（以下、ホットフォルダ６４）が可視的に表現されている。
【００３７】
印刷Ｉ／Ｆ５６は、印刷ユニット２２に対して電気信号を送受信するインターフェースである。これにより、印刷ユニット２２は、印刷制御装置１４から供給された印刷用データに基づいて、ワーク１６（より詳細には、被印刷体３８）に対して所望の印刷処理を行う。
【００３８】
印刷Ｉ／Ｆ５８は、印刷ユニット２４に対して電気信号を送受信するインターフェースである。これにより、印刷ユニット２４は、印刷制御装置１４から供給された印刷用データに基づいて、ワーク１６（より詳細には、被印刷体３８）に対して所望の印刷処理を行う。
【００３９】
なお、印刷Ｉ／Ｆ５６、５８には、ＵＳＢ（Universal Serial Bus）、ＩＥＥＥ１３９４、イーサネット（登録商標）、無線ＬＡＮを含むシリアルＩ／Ｆ、或いは、セントロニクスを含むパラレルＩ／Ｆを適用することができる。
【００４０】
入力Ｉ／Ｆ６０は、バーコードリーダ６６（情報入力部）からの電気信号を受信するインターフェース（例えば、ＵＳＢ）である。これにより、印刷制御装置１４は、バーコード４６（図２）を光学的に読み取って得た読取信号を入力し、この読取信号を復号・解析する。
【００４１】
記憶部６２は、制御部５０が各構成要素を制御するのに必要なプログラム及びデータ等を記憶している。本図例では、記憶部６２には、印刷ユニット２２、２４の印刷条件に関するデータベース（以下、印刷条件ＤＢ６８）、及び、治具パレット３６の作図領域に関するデータベース（以下、作図領域ＤＢ７０）が構築されている。また、記憶部６２には、１つ又は複数の電子指示書７２、処理実行リスト７４及び印刷履歴リスト７６が格納されている。
【００４２】
記憶部６２は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００４３】
制御部５０は、ＣＰＵ（Central Processing Unit）又はＭＰＵ（Micro-Processing Unit）のプロセッサによって構成されている。制御部５０は、記憶部６２に格納されたプログラムを読み出し実行することで、フォルダ監視部７８、リスト解析部８０、一致性判定部８２、ＲＩＰ（Raster Image Processor）処理部８４、印刷制御部８６、及びリスト作成部８８の各機能を実現可能である。
【００４４】
［印刷システム１０の動作］
この実施形態に係る印刷システム１０は以上のように構成される。続いて、印刷処理のバッチ実行に関わる印刷システム１０（特に、印刷制御装置１４）の動作について説明する。ここで「バッチ実行」とは、予め決定された実行順番に従って、複数の印刷処理を一括して且つ順次に実行する処理形態を意味する。
【００４５】
＜準備作業＞
先ず、バッチ実行のための準備作業について、図４のフローチャートを参照しながら説明する。ユーザとしての作業者は、印刷制御装置１４を操作しながら以下の準備作業を行う。
【００４６】
ステップＳ１において、作業者は、自動又は手動により、生産管理者が取り扱う端末装置から複数の電子指示書７２を取得する。この取得作業に伴い、印刷制御装置１４（制御部５０）は、図示しないネットワーク及び通信Ｉ／Ｆ５２を介して電子指示書７２を取得し、その後、記憶部６２に逐次格納させる。
【００４７】
ステップＳ２において、作業者は、ステップＳ１で取得した電子指示書７２の指示情報を閲覧し、印刷処理に供されるワーク１６の準備を行う。この指示情報には、成果物３４の発注者、納期、個数、サイズ、色情報の各種情報が含まれる。そこで、作業者は、当該指示情報に適した種別のシート状治具４２をパレット本体４０に貼り付ける。その後、作業者は、治具パレット３６の上に被印刷体３８を載置すると共に、シート状治具４２の種別に応じたシール４８を貼り付ける。
【００４８】
作業者は、バーコードリーダ６６（図３）を用いてワーク１６のバーコード４６を読み取った後、このワーク１６をマガジン２８内に装填する。なお、バーコードリーダ６６の読取信号は、治具パレット３６の種別情報として記憶部６２に順次記憶される。
【００４９】
作業者は、残りの電子指示書７２について同様に、ワーク１６の準備を順次行う。作業者は、必要に応じて、ワーク１６の許容収容数に達したマガジン２８を供給ユニット２０に装填する。
【００５０】
ステップＳ３において、作業者は、ステップＳ２での準備手順に沿って処理実行リスト７４を作成する。ここで、処理実行リスト７４とは、複数の印刷処理と該印刷処理の実行順番を対応付ける一覧表である。ここでは、処理実行リスト７４は、作業者の利便性を向上し、汎用の表計算アプリ又はテキストエディタを用いて編集可能なデータファイルである。ファイル形式としては、例えばＣＳＶ（Comma-Separated Values）を適用してもよい。
【００５１】
図５は、図３の処理実行リスト７４におけるデータ構造の一例を示す模式図である。本図から理解されるように、処理実行リスト７４は、アルファベット（小文字・大文字）、算用数字、一般記号（ピリオド等）及び区分子（カンマ）を含む文字の集合体である。なお、処理実行リスト７４は、カンマが連続する文字列を含む点に留意する。
【００５２】
ステップＳ４において、作業者は、ステップＳ３で作成した処理実行リスト７４をホットフォルダ６４内に投入する。具体的には、作業者は、ＵＩ部５４を介して所定の操作（例えば、ドラッグ・アンド・ドロップ）を行うことで処理実行リスト７４を投入する。
【００５３】
このようにして、バッチ実行のための準備作業が完了する（図４）。上記の通り、ＵＩ部５４は、作業者による操作に応じて、処理実行リスト７４を編集可能に、且つ、処理実行リスト７４をホットフォルダ６４内に投入可能に構成されてもよい。これにより、処理実行リスト７４の編集を通じて作業者の意図をより適切に反映させることができる。
【００５４】
＜バッチ実行時の動作＞
次に、バッチ実行時の印刷システム１０（特に、印刷制御装置１４）の動作について、図６のフローチャートを参照しながら説明する。
【００５５】
ステップＳ１１において、フォルダ監視部７８は、ホットフォルダ６４内を監視する。ホットフォルダ６４の所在を示すパスは、印刷制御装置１４の内部、又は、印刷制御装置１４がアクセス可能なコンピュータの内部で定義される。
【００５６】
ステップＳ１２において、フォルダ監視部７８は、処理実行リスト７４がホットフォルダ６４内に存在するか否かを判定する。具体的には、フォルダ監視部７８は、格納されたデータファイルの所在を定期的に検索し、或いは、データファイルの移動イベントの有無を検出する。処理実行リスト７４が存在しないと判定された場合（ステップＳ１２：ＮＯ）、ステップＳ１１に戻って、ステップＳ１１及びＳ１２を順次繰り返す。一方、存在すると判定された場合（ステップＳ１２：ＹＥＳ）、次のステップ（Ｓ１３）に進む。
【００５７】
ステップＳ１３において、リスト解析部８０は、ステップＳ１２にてその存在が確認された処理実行リスト７４を取得する。この取得処理が完了した後、ホットフォルダ６４に存在していた処理実行リスト７４を削除してもよいし、削除せずに残してもよい。
【００５８】
ステップＳ１４において、リスト解析部８０は、ステップＳ１３で取得された処理実行リスト７４の内容を解析する。処理実行リスト７４がＣＳＶ形式（図５参照）のデータファイルである場合、区分子であるカンマの位置を検出することで、単一文字、文字列、又は空文字（ＮＵＬＬ）を順次抽出する。
【００５９】
図７は、図５の処理実行リスト７４を解析した結果を示す模式図である。本図例では、処理実行リスト７４は、順番、ファイル名、フォルダ名、印刷ユニット名、印刷条件、作図領域、特色種類、及びコピー数から構成される。
【００６０】
「順番」は、印刷処理の実行順番である。ここでは、データファイルの先頭に近い印刷処理に対して若番が付与されると共に、末尾に近い印刷処理に対して老番が付与される点に留意する。
【００６１】
「ファイル名」は、印刷対象であるコンテンツデータのファイル名である。「フォルダ名」は、コンテンツ画像を示すコンテンツデータを格納するフォルダ名である。「コピー数」は、同じ印刷処理を実行するワーク１６の個数である。
【００６２】
「印刷ユニット名」は、印刷用データの出力先、すなわち印刷手段の識別情報である。「ＰＵ１」からなる文字列は印刷ユニット２２を示し、「ＰＵ２」からなる文字列は印刷ユニット２４を示す。
【００６３】
「作図領域」は、被印刷体３８における印刷部位の三次元位置情報である。ここでは、治具パレット３６の種別（例えば、ＪＩＧ００１）と対応付けて定義する。
【００６４】
「特色種類」は、単一のカラーチャンネルにおける色の解釈である。ここで、「Ｗ」は白色、「Ｃ」は透明色、「Ｓ」は他の特色、「Ｎ」は原色（変更なし）である。
【００６５】
ところで、リスト解析部８０は、処理実行リスト７４に含まれるジョブ区分情報（例えば、所定数以上のカンマが連続する文字列）を検出し、このジョブ区分情報により区分された１つ又は連続する２つ以上の印刷処理を１つの印刷ジョブとして認識する。つまり、リスト解析部８０は、順番が「１」「２」、順番が「３」「４」、順番が「５」「６」、及び、順番が「７」「８」である２つの印刷処理をそれぞれ、別個の印刷ジョブとして認識する。
【００６６】
このようにして、リスト解析部８０は、処理実行リスト７４を解析することで、複数の印刷処理に関する各種情報を取得する（ステップＳ１４）。なお、処理実行リスト７４におけるデータの定義及び個数は、上記した例に限られず任意に変更可能である。また、ジョブ区分情報は上記した例に限られず、識別可能な他の文字又は他の文字列であってもよい。
【００６７】
ステップＳ１５において、印刷制御部８６は、処理実行リスト７４にて定義された１つ以上の印刷ジョブのうち、未だ実行されていない印刷ジョブを１つ選択する。最初には、印刷制御部８６は、最も若番（１）の印刷処理を含む印刷ジョブを選択する。
【００６８】
ステップＳ１６において、一致性判定部８２は、治具パレット３６の種別情報が一致するか否かを判定する。具体的には、一致性判定部８２は、バーコードリーダ６６から入力された種別情報が、処理実行リスト７４に含まれる種別情報（図７の作図領域）に一致するか否かを判定する。
【００６９】
両者の情報が一致すると判定された場合（ステップＳ１６：ＹＥＳ）、次のステップ（Ｓ１７）に進む。一方、両者の情報が一致しないと判定された場合（ステップＳ１６：ＮＯ）、ステップＳ１７の実行をスキップする。
【００７０】
ステップＳ１７において、ＲＩＰ処理部８４は、コンテンツデータに対して画像処理を施すことで、印刷処理に供される印刷用データを生成する。画像処理に先立ち、ＲＩＰ処理部８４は、処理実行リスト７４に含まれる「フォルダ名」及び「ファイル名」を手掛かりにして、コンテンツ画像を示すコンテンツデータを取得する。また、ＲＩＰ処理部８４は、印刷条件ＤＢ６８を参照し、画像解像度、記録モード、色変換条件を含む印刷条件を決定する。また、ＲＩＰ処理部８４は、作図領域ＤＢ７０を参照し、治具パレット３６内の印刷範囲、搬送テーブル１８の高さを含む作図領域を決定する。
【００７１】
この画像処理には、［１］１つ又は複数のコンテンツ画像を配置する面付け処理、［２］ＰＤＬ（Page Description Language）形式からラスタ形式に変換するラスタライズ処理、又は、［３］ＩＣＣ（International Color Consortium）プロファイルを用いた色変換処理が含まれる。
【００７２】
ステップＳ１８において、印刷制御部８６は、印刷処理のバッチ実行を、リスト解析部８０により認識された印刷ジョブの単位で指示する。これにより、印刷ジョブの処理単位を明確に定義可能であると共に、この定義に従って印刷ジョブを確実に実行できる。
【００７３】
また、印刷制御部８６は、印刷処理のバッチ実行を、印刷処理に応じた「印刷ユニット名」（ＰＵ１、ＰＵ２）にて特定される印刷ユニット２２、２４に振り分けて指示する。これにより、印刷処理の分散化を図ることが可能となり、生産速度が向上する。
【００７４】
また、印刷制御部８６は、互いに独立に制御可能な２つの印刷ユニット２２、２４を有する印刷装置１２に対して、連続する２つの印刷処理を各印刷ユニット２２、２４に振り分けて同時に指示する。これにより、一連の印刷処理を一回的に実行できる。
【００７５】
ところで、印刷制御部８６は、ステップＳ１６での判定結果に応じて印刷装置１２を制御してもよい。具体的には、印刷制御部８６は、情報が一致する印刷ジョブの実行を指示する旨の制御信号を印刷ユニット２２、２４側に送出する。
【００７６】
一方、印刷制御部８６は、情報が一致しない印刷ジョブの実行中止を指示する旨の制御信号を印刷ユニット２２、２４側に送出する。印刷処理の実行を中止することで、作業者の準備作業（図４のステップＳ２）に起因する生産ロスを回避できる。
【００７７】
ステップＳ１９において、印刷装置１２は、ステップＳ１８での指示に応じて、印刷制御装置１４からの印刷用データに基づいて、治具パレット３６（被印刷体３８）に対して印刷処理を実行する。これにより、色の装飾処理がなされた成果物３４（図１）が得られる。
【００７８】
ステップＳ２０において、リスト作成部８８は、ステップＳ１９での印刷処理毎の実行結果を示す印刷履歴リスト７６を作成又は更新する。実行結果には、例えば、処理実行リスト７４の内容、処理開始時間、印刷処理の成否情報が含まれる。作業者は、作成された印刷履歴リスト７６を閲覧することで、印刷処理毎の実行結果を容易に把握できる。
【００７９】
ステップＳ２１において、印刷制御部８６は、処理実行リスト７４にて定義されたすべての印刷ジョブが完了したか否かを判定する。まだ完了していないと判定された場合（ステップＳ２１：ＮＯ）、ステップＳ１５に戻って、以下ステップＳ１５〜Ｓ２１を順次繰り返す。一方、完了したと判定された場合（ステップＳ２１：ＹＥＳ）、印刷システム１０は、印刷処理のバッチ実行を終了する。
【００８０】
［バッチ実行の結果］
続いて、図５及び図７の処理実行リスト７４に基づくバッチ実行の結果について説明する。これにより、第１、第２、第３及び第４の印刷ジョブが順次実行される。ここで、印刷ユニット２２はＣ、Ｍ、Ｙ、Ｋ、Ｗ、Ｏの６色で印刷可能であり、印刷ユニット２４はＣ、Ｍ、Ｙ、Ｋ、ＣＬの５色で印刷可能であることを想定する。
【００８１】
（第１の印刷ジョブ）
作図領域「ＪＩＧ００１」のワーク１６は、搬送テーブル１８により順方向Ｆに搬送されながら、印刷ユニット２２により白色（Ｗ）の下地処理が施される。その後、ワーク１６は、搬送テーブル１８により順方向Ｆに搬送されながら、印刷ユニット２４によりカラー印刷／モノクロ印刷が施される。これにより、白地に「ＤｅｓｉｇｎＥ」の画像が描かれたスマートフォンケースが完成する。
【００８２】
（第２の印刷ジョブ）
作図領域「ＪＩＧ００２」のワーク１６は、搬送テーブル１８により順方向Ｆに搬送されながら、印刷ユニット２２により白色（Ｗ）の下地処理が施される。その後、ワーク１６は、搬送テーブル１８により順方向Ｆに搬送されながら、印刷ユニット２４によりカラー印刷／モノクロ印刷が施される。これにより、白地に「ＤｅｓｉｇｎＦ」の画像が描かれたスマートフォンケースが完成する。
【００８３】
（第３の印刷ジョブ）
作図領域「ＪＩＧ００３」のワーク１６は、搬送テーブル１８により順方向Ｆに搬送されながら、印刷ユニット２２によりカラー印刷／モノクロ印刷が施される。その後、ワーク１６は、搬送テーブル１８により順方向Ｆに搬送されながら、印刷ユニット２４により透明（ＣＬ）の表面処理が施される。これにより、「ＤｅｓｉｇｎＧ」の画像が描かれ、且つ表面処理されたスマートフォンケースが完成する。
【００８４】
（第４の印刷ジョブ）
作図領域「ＪＩＧ１０４」のワーク１６は、搬送テーブル１８により順方向Ｆに搬送されながら、印刷ユニット２２によりカラー印刷／モノクロ印刷が施される。ここで、「印刷ユニット名」（出力先）が同じであるため、プロセスカラー（ＣＭＹＫ）及びスポットカラー（Ｏ）の色版が自動的に合成される。これにより、「ＤｅｓｉｇｎＸ１」及び「ＤｅｓｉｇｎＸ２」の合成画像が描かれた磁気カードが完成する。
【００８５】
このように、一方の印刷ユニット２２は、有彩色及び無彩色の少なくとも一方の印刷処理を実行可能であり、他方の印刷ユニット２４は、下地色及び透明色の少なくとも一方の前記印刷処理を実行可能であってもよい。これにより、一連の印刷処理を通じて、下地処理又は表面処理が施された成果物３４を得ることができる。
【００８６】
［印刷制御装置１４による効果］
以上のように、印刷制御装置１４は、複数の印刷処理と該印刷処理の実行順番を対応付ける処理実行リスト７４がホットフォルダ６４内に存在するか否かを監視するフォルダ監視部７８と、監視によりホットフォルダ６４内に存在すると確認された処理実行リスト７４を取得し解析するリスト解析部８０と、処理実行リスト７４の解析結果に基づいて、実行順番に従った印刷処理のバッチ実行を少なくとも１つの印刷手段（印刷ユニット２２、２４）に指示する印刷制御部８６を備える。
【００８７】
また、印刷システム１０は、上記した印刷制御装置１４の他、該印刷制御装置１４からの指示に応じて被印刷体３８に対して印刷処理を実行する印刷装置１２を備える。
【００８８】
このように構成したので、ホットフォルダ６４に投入するだけで処理実行リスト７４の指示内容に沿った印刷処理を順次実行可能となる。これにより、生産計画に関する意図を適切に反映させつつ、複数の印刷処理を纏めて実行できる。
【００８９】
［備考］
なお、この発明は、上述した実施形態に限定されるものではなく、この発明の主旨を逸脱しない範囲で自由に変更できることは勿論である。
【００９０】
例えば、図６例では、一致性判定部８２による判定処理（ステップＳ１６）を実行しているが、この判定処理を省略してバッチ実行を継続してもよい。
【００９１】
また、印刷装置１２は、インクジェット記録装置に限られず、被印刷体３８の外表面に色材を付着させてドットを形成する方式（例えば、電子写真方式）であれば、本発明を適用できることはいうまでもない。
【００９２】
また、印刷装置１２が備える印刷手段（印刷ユニット２２、２４）の数は２つに限られず、１つ又は３つ以上であってもよい。或いは、複数の印刷手段は一体的に設けられてもよいし、それぞれ別体の印刷装置であってもよい。
【符号の説明】
【００９３】
１０‥印刷システム                      １２‥印刷装置
１４‥印刷制御装置                      １６‥ワーク
１８‥搬送テーブル                      ２０‥供給ユニット
２２、２４‥印刷ユニット（印刷手段）    ２６‥回収ユニット
２８‥マガジン                          ３１‥記録ヘッド
３２‥硬化光源                          ３４‥成果物
３６‥治具パレット（搬送治具）          ３８‥被印刷体
４６‥バーコード（コードマーク）        ５０‥制御部
５４‥ＵＩ部（ユーザインターフェース）  ６２‥記憶部
６４‥ホットフォルダ（フォルダ）        ６６‥バーコードリーダ（情報入力部）
６８‥印刷条件ＤＢ                      ７０‥作図領域ＤＢ
７２‥電子指示書                        ７４‥実行処理リスト
７６‥印刷履歴リスト                    ７８‥フォルダ監視部
８０‥リスト解析部                      ８２‥一致性判定部
８４‥ＲＩＰ処理部                      ８６‥印刷制御部
８８‥リスト作成部
【図１】
0006383671.tif 000002
【図２】
0006383671.tif 000003
【図３】
0006383671.tif 000004
【図４】
0006383671.tif 000005
【図５】
0006383671.tif 000006
【図６】
0006383671.tif 000007
【図７】
0006383671.tif 000008